(57)【特許請求の範囲】
【請求項１】
装飾品の一部として本体に取り付けられ、意匠に基づく装飾効果に加えて、光を用いた演出を行う電飾装置であって、
前記意匠に基づく形状に生成されたベース板、発光点の光軸が前記ベース板から離れる方向とされた第１の光源部、発光点の光軸を前記ベース板に沿う方向とすることで、照射された光の中に少なくとも前記ベース板に対して平行に進行する光を含む第２の光源部を備え、前記ベース板に少なくとも第１の光源部と第２の光源部を別個に給電する複数系統の配線パターンが施された基板と、
前記基板のベース板上に、前記第１の光源部及び第２の光源部を回避する位置に形成されると共に、前記第２の光源部の発光点から照射された光を内周面から受け入れる貫通孔、及び、前記貫通孔の内周面から受け入れた光の内、少なくともベース板に対して平行に進行する光を直接前記第１の光源部の発光点から出射された光の方向と同方向へ屈折させる傾斜面部が形成された凹陥部、を備えた屈折板と、
適宜箇所に前記基板方向に向けて支柱状の導光部が形成され、当該導光部には前記第１の光源部の発光点が対向され、当該導光部と第１の光源部の発光点が密着または近接するように、前記基板上に配置されるレンズカバーと、
を有する電飾装置。
【請求項２】
前記レンズカバーの前記導光部以外の領域には、入力する光を拡散して出力する拡散部が形成されていることを特徴とする請求項１記載の電飾装置。
【請求項３】
前記基板が収容されると共に、前記レンズカバーとにより前記基板を被覆する基板カバーをさらに有し、
前記基板カバーには、外部から駆動力を受ける被駆動力部と、前記被駆動力部で受けた駆動力で移動させるための支持部と、前記支持部を基準に移動するときの肉厚方向のブレを防止するガイド板と、が設けられていることを特徴とする請求項１記載の電飾装置。
【請求項４】
前記レンズカバーの表面に設けられた前記導光部の出力端が、凸レンズ状に成形され、出力される光が集光されることを特徴とする請求項１〜請求項３の何れか１項記載の電飾装置。
【請求項５】
前記屈折板における前記基板と対向面には、前記第２の光源部からの光を受けて前記レンズカバー方向へ屈折させる傾斜面部が形成された複数の凹陥部が予め定められた配列パターンで緊密に形成され、全体として凹凸面形状とされていることを特徴とする請求項１〜請求項４の何れか１項記載の電飾装置。
【請求項６】
前記請求項１〜請求項５の何れか１項記載の電飾装置を備えた遊技機。
【発明の詳細な説明】
【技術分野】
【０００１】
本発明は、装飾品の一部として本体に取り付けられ、意匠に基づく装飾効果に加えて、光を用いた演出を行う電飾装置、及び電飾装置を備えた遊技機に関するものである。
【背景技術】
【０００２】
遊技機に取り付けられ、主として装飾品は、管理上、歩留まり上の観点から部品の簡素化、共通化を図る傾向にある。装飾品の一つである電飾装置においても同様である。なお、電飾装置は、演出の一部として用いる場合ある。
【０００３】
ここで、電飾装置において演出を実行する場合、部品の種類が限られていると、発光態様に変化をもたらすのに制限が生じ、例えば、点灯、点滅、変色が主体となり、電飾装置の一部を強調するといった濃度、輝度、色彩調整が困難となっている。
【０００４】
このため、特許文献１では、発光体に対面するレンズ機能を持つ導光部との間隙を変更することで、当該導光部に入射する光の量と、周囲に拡散する光の量とのバランスを調整し、導光部の出射面を光が集中して強調し、それ以外は、拡散した光で照射するといった構造が提案されている。
【先行技術文献】
【特許文献】
【０００５】
【特許文献１】特許第４０１５３８６号公報
【発明の概要】
【発明が解決しようとする課題】
【０００６】
しかしながら、特許文献１の構造では、肉厚方向の寸法が前記導光部の長さ寸法に依存するため、厚さ方向の設計仕様に制限が生じる。
【０００７】
また、導光部と光源との間隙は固定的であるため、導光部の出射面の光量を増減する、或いは、拡散する光を増減するといった演出はできず、結果として、電飾装置としての光量調整等に制限があるという問題が生じている。
【０００８】
本発明は上記事実を考慮し、筐体の肉厚等を含む設計の自由度を向上し、かつ、光を強調するべき領域、並びに背景として光を拡散するべき領域をそれぞれ独立して制御することができる電飾装置及び遊技機を得ることが目的である。
【課題を解決するための手段】
【０００９】
本発明は、装飾品の一部として本体に取り付けられ、意匠に基づく装飾効果に加えて、光を用いた演出を行う電飾装置であって、前記意匠に基づく形状に生成されたベース板、発光点の光軸が前記ベース板から離れる方向とされた第１の光源部、発光点の光軸を前記ベース板に沿う方向とすることで、照射された光の中に少なくとも前記ベース板に対して平行に進行する光を含む第２の光源部を備え、前記ベース板に少なくとも第１の光源部と第２の光源部を別個に給電する複数系統の配線パターンが施された基板と、前記基板のベース板上に、前記第１の光源部及び第２の光源部を回避する位置に形成されると共に、前記第２の光源部の発光点から照射された光を内周面から受け入れる貫通孔、及び、前記貫通孔の内周面から受け入れた光の内、少なくともベース板に対して平行に進行する光を直接前記第１の光源部の発光点から出射された光の方向と同方向へ屈折させる傾斜面部が形成された凹陥部、を備えた屈折板と、適宜箇所に前記基板方向に向けて支柱状の導光部が形成され、当該導光部には前記第１の光源部の発光点が対向され、当該導光部と第１の光源部の発光点が密着または近接するように、前記基板上に配置されるレンズカバーと、を有している。
【００１０】
本発明によれば、導光部で強調する光と、その背景で拡散する光とをそれぞれ独立して光量制御することができる。また、導光部と第１の光源部とに背景となる拡散光との光量バランス調整のための間隙を設ける必要がないので、薄肉構造の電飾装置を実現することができる。
【００１１】
本発明において、前記レンズカバーの前記導光部以外の領域には、入力する光を拡散して出力する拡散部が形成されていることを特徴としている。
【００１２】
第２の光源から出力され、屈折板で屈折した光は、拡散部によって拡散される。拡散された光は、レンズカバーにおける導光部以外の領域から出力されるため、導光部の周囲は、所謂淡い光となり、より導光部からの光を強調することができる。
【００１３】
また、本発明において、前記基板が収容されると共に、前記レンズカバーとにより前記基板を被覆する基板カバーをさらに有し、前記基板カバーには、外部から駆動力を受ける被駆動力部と、前記被駆動力部で受けた駆動力で移動させるための支持部と、前記支持部を基準に移動するときの肉厚方向のブレを防止するガイド板と、が設けられていることを特徴としている。
【００１４】
可動する電飾装置として適用できる。このときガイド板がガイドされていることで、肉厚方向のブレを防止することができるため、肉厚方向に接近している他の部材と接触することがない。
【００１５】
なお、例えば、支持部が回転軸部であれば、駆動力で電飾装置を回転運動させることができる。
【００１６】
さらに、本発明において、前記レンズカバーの表面に設けられた前記導光部の出力端が、凸レンズ状に成形され、出力される光が集光されることを特徴としている。
【００１７】
導光部から出力される光をより強調することができる。例えば、この導光部からの光を見る者までの距離がある程度推定できるのであれば、その距離を焦点距離とする凸レンズとすればよい。或いは、特定の位置まで平行光で案内して、光によって導光部の表面に形成たされた形状を画像として表示する構成としてもよい。
【００１８】
また、本発明において、前記屈折板における前記基板と対向面には、前記第２の光源部からの光を受けて前記レンズカバー方向へ屈折させる傾斜面部が形成された複数の凹陥部が予め定められた配列パターンで緊密に形成され、全体として凹凸面形状とされていることを特徴としている。
【００１９】
第２の光源部からの光を拡散しながら導光部以外のレンズカバーの表面へ案内することができ、少なくとも導光部から出射される光量よりも弱い光量で出力され、導光部からの光を際立たせる役目を実現することができる。凹陥部の配列パターンとしては、縦横にマトリクス状に配列するパターン、千鳥状に配列するパターン横方向に傾斜面が連続して断面形状がノコギリ状に形成された配列パターン等、第２の光源からの光が、レンズカバー方向に屈折する形状であればよい。また、拡散機能を持たせてもよい。
【００２０】
また、例えば、光量以外に、色調整が可能であれば、さらに、導光部からの光とそれ以外のレンズカバーからの光との差を明確することができ、演出としてのバリエーションを向上することができる。
【００２１】
本発明の電飾装置を遊技機に搭載することで、例えば、遊技仕様に基づく抽選の結果を報知するための主たる手段として表示装置があり、当該表示装置で前記抽選の結果を報知するとき、必要に応じて、電飾装置による光の演出、或いは動作演出を併用することで、遊技者への抽選の結果の報知結果への期待感（例えば、当/落抽選であれば、電飾装置の光具合で当選の可能性が高くなるといった期待感）を持たせることができる。
【００２２】
一例として、表示装置の前面に回転可能に電飾装置を配置し、回転動作の一端部では表示装置と重ならない待避位置に位置決めされ、何らかの特別の報知（予告報知等）が必要なときに待避位置から表示装置の前面位置まで回転駆動させる。電飾装置自体が装飾部材としての役目を持っているため、これだけでも演出となるが、さらに、表示装置の前で光による演出を実行することで、遊技者は大いに期待感をもって抽選結果を待つことになる。
【発明の効果】
【００２３】
以上説明した如く本発明では、筐体の肉厚等を含む設計の自由度を向上し、かつ、光を強調するべき領域、並びに背景として光を拡散するべき領域をそれぞれ独立して制御することができるというすぐれた効果を有する。
【図面の簡単な説明】
【００２４】
【図１】本実施の形態に係るパチンコ機の正面図である。
【図２】本実施の形態に係る遊技盤の正面図である。
【図３】本実施の形態に係る制御系のハード構成を示すブロック図である。
【図４】本実施の形態に係る左電飾部の正面図である（右電飾部は左右対称）。
【図５】図４の分解斜視図である。
【図６】図４のＶＩ−ＶＩ線断面図である。
【図７】本実施の形態に係り、基板に搭載された第１の光源部、第２の光源部の配置状態を示す斜視図である。
【図８】（Ａ）は基板と屈折板との組付状態を示す断面図、（Ｂ）は図８（Ａ）のＩＩＸＢ−ＩＩＸＢ線断面図である。
【発明を実施するための形態】
【００２５】
（パチンコ機の構成）
図１に示されるように、パチンコ機１０の前面下部には、化粧パネルとなる下飾り１２が取り付けられている。
【００２６】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００２７】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すと一体皿２４が開放する。
【００２８】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００２９】
上皿部２８の周縁壁３２における図１の右端部には、球貸ボタン４２と、返却ボタン４４が設けられている。
【００３０】
また、一体皿２４の右側下部には打球の発射力（飛距離）を調整するためのグリップユニット（発射ハンドル）２６が取り付けられ、左側下部には、灰皿４６が取り付けられている。
【００３１】
一体皿２４における下皿部３０の図１の右側には受け皿スピーカ６０Ｕが配置されている。
【００３２】
ここで、一体皿２４における上皿部２８の周縁壁３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００３３】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００３４】
この結果、上演出部５２と下演出部５４とで、遊技盤１８の周囲を取り囲むように、演出部５６が形成されている。
【００３５】
この演出部５６は、上演出部５２及び下演出部５４共に、照明部材（ＬＥＤ等）が取り付けられた基板（図示省略）と、この基板を覆うように、所定の意匠で形成されたレンズカバー５８が取り付けられている。
【００３６】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。また、ガラス枠の上部角部には、それぞれ三連表示６２が設けられ、遊技状態の報知（エラー報知等を含む）に適用される。
【００３７】
また、前記上演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００３８】
なお、以下では、前述した受け皿スピーカ６０Ｕと、このガラス枠スピーカ６０Ｃ、６０Ｌ、６０Ｒを総称して、「スピーカ６０」という。
【００３９】
（遊技盤の構成）
図２に示される遊技盤１８は、基板となるベニヤ板に樹脂製シート状のセルが貼着されてそのセルの表面が盤面となっており、盤面の外周端部付近に、円弧状の外レール１０２及び内レール１０４が取り付けられている。
【００４０】
前記外レール１０２及び内レール１０４との間は、一定の間隔を持って球案内流路２００が形成されている。球案内流路２００は、発射装置１６５（図３参照）から発射された遊技球ＰＢを遊技盤１８の円形状の領域(遊技領域）へ案内する役目を有している。なお、この球案内流路２００の終端には、球逆流防止弁２０２が取り付けられている。球逆流防止弁２０２は、その基部が内レール１０４の先端部に取り付けられ、外レール１０２方向に延長されている。
【００４１】
前記遊技盤１８における、外レール１０２（並びに一部が内レール１０４）によって囲まれた円形状の領域は、発射装置１６５（図３参照）から発射されて、前記球案内流路２００を介して打ち込まれた遊技球ＰＢが自重落下により移動可能とされ、この領域が遊技を行う遊技領域とされている。
【００４２】
遊技盤１８の遊技領域には、遊技釘及び風車２１が点在して打ち込まれている。また、遊技領域におけるほぼ中央には、センター役物１０５が配置されている。センター役物１０５は、各種演出等の映像を表示する液晶表示部（ＬＣＤ表示部）１０６を備えている。      
【００４３】
ＬＣＤ表示部１０６では、例えば、３列の図柄列が独立して変動し、最終的に３列の図柄列が同一図柄で停止した場合に特別図柄抽選の当選を報知するといった、図柄変動パターン演出が実行される。なお、３列の内、先に２列が同一図柄で停止（仮停止）して、残りの１列が変動中の場合を、「リーチ」という。
【００４４】
センター役物１０５の下辺部は、ステージ１０５Ｓが形成されている。ステージ１０５Ｓには、釘等で跳ね返えることで受け入れた遊技球ＰＢ、或いは図示しないワープ路に案内されて受け入れた遊技球ＰＢが送り込まれるようになっている。
【００４５】
ステージ１０５Ｓは、傾斜面や突起部等が形成され、前記遊技球ＰＢの移動が当該傾斜面や突起部等により不規則に変化し、最終的に下辺手前から遊技盤１８へ戻されるようになっている。
【００４６】
図２に示される如く、センター役物１０５の図２に向かって左側には、普通図柄抽選の始動機能を持つ通過ゲート１１８が配置されている。
【００４７】
また、センター役物１０５の下部には、特別図柄始動入賞口（Ａ）１３０と特別図柄始動入賞口（Ｂ）１３４とが縦列に配置されている。
【００４８】
特別図柄始動入賞口（Ａ）１３０が常時入賞可能に上部が開口しており、一方、特別図柄始動入賞口（Ｂ）１３４の上部開口は、特別図柄始動入賞口（Ａ）１３０が閉塞している。
【００４９】
この特別図柄始動入賞口（Ｂ）１３４には、電動チューリップ１３６が取り付けられている。電動チューリップ１３６は、遊技盤１８の裏面側に配設された電チューソレノイド１３８（図３参照）の通電・非通電によって開閉する構成となっている。
【００５０】
ここで、電動チューリップ１３６が開放状態になると、特別図柄始動入賞口（Ｂ）の入賞開口部へのパチンコ球ＰＢの受け入れが可能となり、パチンコ球ＰＢの入賞が可能となる。
【００５１】
さらに、図２に示される如く、前記特別図柄始動入賞口（Ｂ）１３４のさらに下部には、遊技領域の下端部付近に位置してアタッカー１１２が配置されている。
【００５２】
アタッカー１１２には、開閉扉１１６が設けられている。この開閉扉１１６が、アタッカーソレノイド１４８（図３参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００５３】
また、遊技領域の最下位置には、外れ球を遊技盤１８の裏側へ排出するアウト口１２４が設けられている。
【００５４】
さらに、センター役物１０５よりも下、かつ特別図柄始動入賞口（Ａ）１３０と特別図柄始動入賞口（Ｂ）１３４の左右には、複数の一般入賞口１２０（本実施の形態では、図２に向かって左側に２個の一般入賞口１２０Ａ、１２０Ｃ、右側に１個の一般入賞口１２０Ｃとする。）が設けられている。なお、一般入賞口１２０は、３個に限られるものではなく、例えば、入賞率等の設計上の演算によってその数を決めればよい。
【００５５】
また、この遊技領域に設けられたセンター役物１０５や盤面周縁には、遊技の進行に応じて点灯、消灯、及び点滅し照明による演出効果を生み出す照明演出用の発光素子１３６（図３参照）が多数設けられている。
【００５６】
ここで、特別図柄始動入賞口（Ａ）１３０又は特別図柄始動入賞口（Ｂ）１３４に遊技球ＰＢが入賞すると、特別図柄抽選が実行され、この特別図柄抽選に当選すると、前記アタッカー１１２の開閉扉１１６が所定のパターンで開閉動作し、これを所定回数（所定ラウンド）繰り返すようになっている（「特別遊技状態」又は「大役処理」等と言う場合がある）。
【００５７】
なお、前記特別図柄抽選の当選／落選は、主としてＬＣＤ表示部１０６の図柄変動表示演出において報知され、この図柄変動パターン演出中、或いは、前記大役処理中の場合は、抽選結果を保留し、順次報知していくようになっている。また、図柄変動表示演出と共に、動物などが擬人化されたキャラクタが表示され、抽選で当選した旨を暗示させることにより、遊技者に期待感を持たせるといった、視覚的な演出をすることがあり、その場合は効果音によって聴覚からも遊技者の興趣を増大させる。
【００５８】
なお、本実施の形態では、１個の特別図柄始動入賞口に対して最大４個（本実施の形態では、特別図柄始動入賞口（Ａ）１３０及び特別図柄始動入賞口（Ｂ）１３４の２個の特別図柄始動入賞口なので、８個となる。）の保留が可能となっている。なお、この保留球数に限定されるものではない。
【００５９】
保留球数は、センター役物１０５における、図２に向かって右下に配置され、主として特図表示部を備えた遊技進行ガイドランプユニット１０９の一部である保留ランプによって報知される他、ＬＣＤ表示部１０６の一部を用いて、遊技者に見易く表示するようになっている。
（制御系の構成）
次に、図３を用いてパチンコ機１０の制御系について説明する。
【００６０】
図３に示されるように、本実施形態に係るパチンコ機１０の制御系は、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００６１】
主制御部１５０からは盤用外部端子１９０を介してホールコンピュータ（図示省略）へ遊技の進行状態を示す情報（始動入賞信号や大当たり信号、図柄確定回数信号）が送信される。
【００６２】
主制御部１５０には、入力系として、通過ゲート１１８を通過する遊技球ＰＢを検出する通過ゲートセンサ１１８Ｓ、特別図柄始動入賞口（Ａ）１３０への入賞球を検出する特図Ａ始動口センサ１３０Ｓ、特別図柄始動入賞口（Ｂ）１３４への入賞球を検出する特図Ｂ始動口センサ１３４Ｓ、特別遊技状態の際に開放するアタッカー１１２への入賞球を検出するアタッカーセンサ１１２Ｓ、一般入賞口１２０Ａ、１２０Ｂ、１２０Ｃへの入賞球を検出する一般入賞センサ１２０ＡＳ、１２０ＢＳ、１２０ＣＳが接続されている。
【００６３】
また、主制御部１５０には、出力系として、遊技情報をランプの点灯状態で報知するガイドランプユニット１０９、電動チューリップ１３６を開閉する電チューソレノイド１３８、アタッカー１１２の開閉扉１１６を開閉するためのアタッカーソレノイド１４８が接続されている。
【００６４】
演出制御部１５２には、入力系として、操作ボタン５０が接続されている。また、演出制御部１５２には、出力系として、パチンコ機１０の各種遊技部品に設けられた照明演出用の発光素子１３６、スピーカ６０が接続されている。
【００６５】
さらに、演出制御部１５２には、図柄制御部１５６を介してＬＣＤ表示部１０６が接続されている。
【００６６】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【００６７】
さらに、払出制御部１５４では、枠用外部端子１９１を介して払出情報をホールに設置されたホールコンピュータ（図示省略）へ送信するようになっている。
【００６８】
（電飾装置）
図２に示される如く、上記構成の遊技盤１８には、可動型の電飾装置２１０が設けられている。
【００６９】
この電飾装置２１０は、左右対称の左電飾部２１０Ｌ、右電飾部２１０Ｒとで構成されている。左電飾部２１０Ｌ、右電飾部２１０Ｒは、ＬＣＤ表示部１０６の前面（遊技者が対面する側）で互いに一部（図２のＡ線矢視部）が当接することで、全体として「ハート型」を構成する演出位置（図２の実線参照）と、左電飾部２１０Ｌ、右電飾部２１０ＲがそれぞれＬＣＤ表示部１０６の左右に分離して待避する待避位置（図２の鎖線参照）とに、選択的に回転軸２１２Ｌ、２１２Ｒを介して回転動作するようになっている。
【００７０】
なお、左電飾部２１０Ｌ、右電飾部２１０Ｒには、それぞれガイド片２１４Ｌ、２１４Ｒが取り付けられており、ＬＣＤ表示部１０６の上部に設けられたスリット溝（図示省略）に収容されている。このガイド片２１４Ｌ、２１４Ｒは、左電飾部２１０Ｌ、右電飾部２１０Ｒの前記回転動作中に肉厚方向にブレが生じないように前記スリット溝に案内されて移動するようになっている。
【００７１】
上記電飾装置２１０は、演出位置において、「ハート型」を構成するため、意匠的な演出効果をもたらすと共に、自身が発光することで、演出効果をさらに高め、かつ盛り上げるようになっている。
【００７２】
光による演出効果の１つとして、「ハート型」の電飾装置２１０には、ほぼ均等ピッチで強調演出部２１６が設けられている。強調演出部２１６は、正面視でハート型とされ、表面が凸レンズ状に形成されており、後述する第１の光源部２２８からの光が焦点位置に集光するようになっている。
【００７３】
一方、強調演出部２１６の周囲は背景演出部２１８とされ、前記強調演出部２１６を引き立てるためのカットが施されている。この背景演出部２１８からは、後述する第２の光源部２３０からの光が拡散されて出力されるようになっている。
【００７４】
図４〜図８には、電飾装置２１０の構造が示されている。なお、電飾装置２１０を構成する左電飾部２１０Ｌと右電飾部２１０Ｒとは左右対称で同一構造であるため、本実施の形態で左電飾部２１０Ｌを例にとり説明する。なお、以下において、「電飾装置２１０は」とした場合、左電飾部２１０Ｌ、右電飾部２１０Ｒの何れか一方を指し示す場合を含むものとする。
【００７５】
図５に示される如く、左電飾部２１０Ｌは、４層構造となっており、基板カバー２２０、基板２２２、屈折板２２４、レンズカバー２２６が重ねられることで左電飾部２１０Ｌが構成されるようになっている。
【００７６】
基板カバー２２０は、電飾装置２１０の形状の基準（左電飾部２１０Ｌのみでは「ハート型」の左半分形状）となるものであり合成樹脂の成型品であり、その他の部材（基板２２２、屈折板２２４、レンズカバー２２６）を支持する役目を有している。
【００７７】
基板カバー２２０の周縁（一部を除く）には、リブ２２０Ａが形成されており、このリブ２２０Ａの内側に基板２２２が収容され、嵌め込まれるようになっている。なお、この嵌め込み構造として、圧入、爪係止、ビス締め等、特に限定されるものではないが、ガタツキがない状態で嵌め込まれることが好ましい。
【００７８】
基板２２２には、図示は省略したが配線パターンが施されており、この配線パターンに応じて複数の光源部（第１の光源部２２８、第２の光源部２３０）が取り付けられている。
【００７９】
光源部は、種類の異なる第１の光源部２２８と第２の光源部２３０とが、１個ずつの対となって、予め定められたピッチで複数セット（本実施の形態では、７セット）が基板２２２の長手方向に沿って配置されている。
【００８０】
第１の光源部２２８と第２の光源部２３０の共通点はチップ型のＬＥＤ光源ユニットであり、それぞれ発光点として赤色、緑色、青色の３原色のＬＥＤ発光素子Ｒ、Ｇ、Ｂが取り付けられ、各ＬＥＤ発光素子Ｒ、Ｇ、Ｂの発光光量を制御することによって、所謂フルカラーの光を出力することができるようになっている。
【００８１】
一方、第１の光源部２２８と第２の光源部２３０の相違点は、当該ＬＥＤ発光素子Ｒ、Ｇ、Ｂが取り付けられた面、すなわち発光面２２８Ａ、２３０Ａの向きが異なっている。
【００８２】
本実施の形態では、第１の光源部２２８の発光面２２８Ａが上向き（基板２２２の主面２２２Ａと平行な方向）であり、発光点から発する光の光軸は基板２２２からほぼ垂直に離れる方向となる。また、第２の光源部２３０の発光面２３０Ａが横向き（基板２２２の主面２２２Ａと直交する方向）となっており、発光点から発する光の光軸は基板２２２に対してほぼ平行な方向となる。第２の光源部２３０の発光面２３０Ａは、ほぼ、次のピッチに位置する第１の光源部２２８に向いている。この「ほぼ」とは、電飾装置２１０が「ハート型」に弧を描いているため、実際には、第２の光源部２３０の発光面２３０Ａが直線的に次のピッチの第１の光源部２２８に向いていない場合があるからである。
【００８３】
ここで、基板２２２に、前記第１の光源部２２８と第２の光源部２３０とが取り付けられることで、当該基板２２２の主面２２２Ａ側は、平坦ではなくなっている。このような基板２２２の主面２２２Ａ上に、前記屈折板２２４が取り付けられるようになっている。このとき、屈折板２２４には、前記第１の光源部２２８及び第２の光源部２３０が取り付けられた位置とほぼ同一のピッチで矩形状の貫通孔２３２が形成されている。
【００８４】
このため、屈折板２２４は、基板２２２にほぼ密着する状態で取り付けられるようになっている。
【００８５】
屈折板２２４の下面（基板２２２との対向面）は、複数の凹陥部２３４が形成されている。凹陥部２３４の側面の一部は傾斜面部２３４Ａとされている。この傾斜面部２３４Ａは、前記第２の光源部２３０の発光面２３０Ａに対面しており、この結果、第２の光源部２３０から発光した光は、この傾斜面部２３４Ａで屈折して、第１の光源部２２８の発光方向と同一方向に向けられるようになっている（図８（Ａ）の矢印Ｂ参照）。
【００８６】
本実施の形態では、屈折板２２４に形成された凹陥部２３４は、千鳥状に配列されている。このため、第２の光源部２３０から照射された光が、前段の凹陥部２３４で全て屈折するのではなく、後段の凹陥部２３４まで行き届くように、意図的に凹陥部２３４をくぐり抜ける光を作り出している。従って、１個の第２の光源部２３０から照射された光は、次のピッチの第１の光源部２２８までの領域の全域に亘り分散され、かつ屈折されるようになっている。
【００８７】
なお、光の分散を考慮して凹陥部２３４を千鳥状配列としたが、電飾装置２１０の大きさや形状によっては、千鳥状配列以外の配列の方が好ましい場合もある。従って、凹陥部２３４は、縦横に所謂マトリクス状配列としてもいし、凹陥部２３４が横方向に連続し、縦断面形状がのこぎり状となる配列、或いは、意図的にランダムに配列するようにしてもよい。
【００８８】
レンズカバー２２６は、前記屈折板２２４を挟むように基板２２２上に取り付けられている。
【００８９】
レンズカバー２２６は、電飾装置２１０の幅方向中央部に相当する部分が凸となる円弧形状（所謂オワン型）となり、その周縁部には、側壁部２２６Ａが形成されている。側壁部２２６Ａは、前記基板カバー２２０の側面に達するようになっており、この結果、レンズカバー２２６と基板カバー２２０とにより、基板２２２（及び屈折板２２４）を被覆するようになっている。
【００９０】
レンズカバー２２６と、基板カバー２２０との係合は、特に限定されるものではないが、内部メンテナンス等を考慮すると着脱可能に爪部材を変形することで係合する構成が好ましい。
【００９１】
レンズカバー２２６の表面は、前述したように、強調演出部２１６と背景演出部２１８とが形成されている。この強調演出部２１６と背景演出部２１８の形成は、レンズカバー２２６の成形時に金型による成形であってもよいし、金型成形後に加工するようにしてもよい。
【００９２】
ここで、レンズカバー２２６が基板カバー２２０に係合された状態で、前記強調演出部２１６は、前記第１の光源部２２８に対向するようになっている。
【００９３】
図６に示される如く、レンズカバー２２６には、強調演出部２１６を最表層部とした導光部２３６が形成されている。導光部２３６は柱状（円柱、多角柱等）とされ、底面部２３６Ａが前記第１の光源部２２８の発光面２２８Ａに近接している。なお、ここで言う「近接」は、底面部２３６Ａが第１の光源部２２８の発光面２２８Ａと接触して所定の荷重を受けている状態、底面部２３６Ａと第１の光源部２２８の発光面２２８Ａとが互いに非接触で若干（約１ｍｍ以下）の隙間を持っている状態を含む。底面部２３６Ａが第１の光源部２２８の発光面２２８Ａに接触して、所定の加重を受けている場合は、導光部２３６は、レンズカバー２２６を支える支柱としての役目も兼ねることになる。従って、必要に応じて、前記「近接」状態を設定すればよい。
【００９４】
導光部２３６は、第１の光源部２２８から出射された光を前記底面部２３６Ａで受け入れ、そのほとんどの光を前記最表層部の強調演出部２１６へ伝送する役目を有している。このため、第１の光源部２２８の発光光量のほとんどが、強調演出部２１６で発光されることになる。
【００９５】
一方、レンズカバー２２６における導光部２３６以外の領域は、空洞部２３８が形成され、この空洞部２３８を形成する壁面全域に亘り、筋状の凹凸部２４０が形成されている。本実施の形態の凹凸部２４０は、半円形状の突起が連続して形成されている。
【００９６】
この凹凸部２４０には、前記第２の光源部２３０から出射され、かつ屈折板２２４の傾斜面部２３４Ａによって屈折された光が照射されるようになっている。この照射された光は、凹凸部２４０に当たることによりそれぞれ拡散され、空洞内の光量がほぼ均一化されることになる。この均一化された光が、レンズカバー２２６の最表層部である背景演出部２１８から出力される。なお、凹凸部２４０の形状は、半円形状の突起を連続して形成されたものではなく、規則性をもって、或いはランダムに独立した凹陥部を複数個形成したもの、空洞部２３８に肉盛りをして、透明度を調整（曇り、泡、不純物等）するようにしてもよい。
【００９７】
以下に本実施の形態の作用を説明する。
【００９８】
パチンコ機１０による遊技では、遊技者がグリップユニット２６を操作すると、一球ずつ発射装置１６５によって上方へ発射される。発射された遊技球ＰＢは、外レール１０２に沿って遊技盤１８の遊技領域１９に打ち込まれ、遊技釘や風車に当たり方向を変えながら遊技領域１９内を落下する。そして、入賞せずに遊技領域１９の下端部に至った遊技球ＰＢはアウト口４０からパチンコ機１０内に回収される。
【００９９】
また、遊技球ＰＢが遊技領域１９内に設けた始動入賞口２０に入賞したり、通過ゲート２２を通過すると、それぞれの遊技仕様に基づく処理（例えば、抽選等）が実行されると共に、ＬＣＤ表示部１０６への画像表示演出、スピーカ６０を用いた音演出等が実行される。また、図示は省略したが、普通入賞口に入賞すると、予め定めた賞球（払い出し）が実行される。
【０１００】
（遊技仕様の概要）
まず、主制御部１５０における抽選処理を中心とした遊技制御について説明する。
【０１０１】
特別図柄始動入賞口（Ａ）１３０又は特別図柄始動入賞口（Ｂ）１３４に、遊技球ＰＢが入賞すると、有効始動入賞か否かが判断される。この有効始動入賞とは、保留球が満杯（例えば、１個の始動口に対して４個）ではなく、かつ特別図柄始動入賞口（Ａ）１３０又は特別図柄始動入賞口（Ａ）１３４へ遊技球ＰＢが入賞したことを言い、これによって抽選権利を得ることになる。なお、無効始動入賞時は、抽選の権利は与えられないが、所定数（３〜５個程度）の賞球払出しがなされる場合もある。
【０１０２】
上記始動入賞が有効始動入賞であった場合には、乱数を取得し、予め記憶されている当り値を読み出し、双方を比較して、抽選が当りか外れかを判定する。
【０１０３】
なお、現在の遊技状態が大当たり処理中、或いは図柄変動パターン演出中の場合は、抽選の権利を保留にするべく、保留数を１つ加算（＋１）し、現在の遊技状態が大当たり処理中ではなく、或いは図柄変動パターン演出中でもなくなったときに、保留数を１つ減算して抽選処理が実行される。
【０１０４】
この抽選の当り／外れに基づいて、図柄変動パターン演出時間を設定し、抽選結果、図柄変動パターン時間を含むコマンドを副制御部１５２へ送出する。
【０１０５】
副制御部１５２では、抽選の結果を、設定された演出時間を使って報知する。
【０１０６】
この報知後、抽選の結果が当たりの場合には、特別遊技状態（大当たり処理）が実行される。通常遊技状態では常に閉止状態のアタッカー１１２を所定のラウンド数（５Ｒ，１０Ｒ,１５Ｒ）だけ開閉する。なお、アタッカー１１２の開放時間は最大３０秒であり、アタッカー１１２が開放中に所定数（例えば、８〜１０個）の遊技球の入賞があった時点で閉止し、所定の閉止時間をおいて、次のラウンド（開放）に移行する。これにより、遊技者は短時間で多くの遊技球の賞球を受けることができる。
【０１０７】
（電飾装置２１０の可動による演出）
上記遊技仕様に基づく遊技の進行において、特に、抽選の結果を報知する図柄変動パターン演出の際、ＬＣＤ表示部１０６での演出に加え、機械的な動作を伴う、電飾装置２１０による演出をする場合がある。この電飾装置２１０による演出は、例えば、抽選結果に基づいて、副制御部１５２で別途抽選を行ない、ＬＣＤ表示部１０６による演出中の所定のタイミングで実行される。
【０１０８】
電飾装置２１０は、通常は、図２の鎖線で示されるように、左電飾部２１０Ｌ、右電飾部２１０ＲがそれぞれＬＣＤ表示部１０６の左右に分離して待避する待避位置にいるため、遊技者にはほとんど見えない状態となっている。
【０１０９】
ここで、演出タイミングになると、左電飾部２１０Ｌ、右電飾部２１０Ｒがそれぞれ回転を介して、図２の実線で示されるように、ＬＣＤ表示部１０６の前面で互いに一部（図２のＡ線矢視部）が当接するまで移動する。この当接によって、電飾装置２１０の全体として「ハート型」を構成することで、遊技者には充分は演出を提供することができる。なお、電飾装置２１０は、所定時間経過すると、再度待避位置へ移動する。
【０１１０】
なお、左電飾部２１０Ｌ、右電飾部２１０Ｒには、それぞれガイド片２１４Ｌ、２１４Ｒが取り付けられ、ＬＣＤ表示部１０６の上部に設けられたスリット溝に収容されているため、左電飾部２１０Ｌ、右電飾部２１０Ｒの前記回転動作中に肉厚方向にブレが生じることがなく、例えば、ＬＣＤ表示部１０６の表示面を傷つけるようなことはない。
【０１１１】
上記電飾装置２１０は、演出位置において、「ハート型」を構成するため、意匠的な演出効果をもたらすと共に、自身が発光することで、演出効果をさらに高め、かつ盛り上げるようになっている。
【０１１２】
（電飾装置２１０の電飾による演出）
電飾装置２１０が図２の実線位置にいるとき、第１の光源部２２８及び第２の光源部２３０が、それぞれ独立して制御されて発光する。
【０１１３】
第１の光源部２２８は、その発光面２２８Ａが上を向いており、導光部２３６と対向しているため、そのほとんどの光が強調演出部２１６へ導かれ出力される。この強調演出部２１６は、ハート型でありかつ凸レンズ状に形成されているため、出力された光は、拡散することなく集光されていくため、遊技者はこの強調演出部２１６の光を強く受けることになる。
【０１１４】
一方、第２の光源部２３０は、その発光面２３０Ａが横向きであり、まず、屈折板２２４の傾斜面部２３４Ａによって上向きに屈折され、その後、レンズカバー２２６の空洞部２３８における壁面に形成された凹凸部２４０によって拡散され、背景演出部２１８から出力される。このため、背景演出部２１８は、例えば、強調演出部２１６よりも光量が少なく、かつ全体的に均一な光として、発光することになる。
【０１１５】
このように、本実施の形態では、強調演出部２１６から出力させる光を第１の光源部２２８とし、背景演出部２１８から出力させる光を第２の光源部２３０とし、それぞれが独立して光量制御等を実施可能としたため、演出効果を向上することができる。
【０１１６】
第１の光源部２２８の発光面２２８Ａは、導光部２３６に近接させたため、第１の光源部２２８から出射されるほとんどの光が導光部２３６によって強調演出部２１６に導かれ、背景演出部２１８に影響を与えることがない。
【０１１７】
また、第２の光源部２３０の発光面２３０Ａを横向きとし、屈折板２２４の傾斜面部２３４Ａでレンズカバー２２６の背景演出部２１８に対応する空洞部２３８の全域に光を行き渡らせるようにしたため、光量むらがなく、かつ第１の光源部２２８の光とは完全に分離して、強調演出部２１６に影響を与えることがない。
【０１１８】
以上説明したように、本実施の形態の電飾装置２１０では、レンズカバー２２６の表層面において、第１の光源部２２８から出射された光のほとんどが強調演出部２１６から出力され、第２の光源部２３０から出射された光が拡散されて背景演出部２１８から出力され、それぞれの光が互いに影響を与えることがなく、また、独立した光量等の加減により様々な演出が可能となる。また、それぞれの光量や色あいを調整する際、一方の調整が他方の調整に関与するものではないので、演出のバリエーションの自由度を高くすることができる。
【符号の説明】
【０１１９】
ＰＢ    遊技球
１０    パチンコ機
１８    遊技盤
１９    遊技釘
２８    上皿部
６０（６０Ｌ、６０Ｃ、６０Ｒ、６０Ｕ）    スピーカ
１０５    センター役物
１０６    液晶表示部（ＬＣＤ表示部）
１３０    特別図柄始動入賞口（Ａ）
１３０Ｓ    特図Ａ始動口センサ
１３４    特別図柄始動入賞口（Ｂ）
１３４Ｓ    特図Ｂ始動口センサ
１３６    電動チューリップ
１１２    アタッカー
１１２Ｓ    アタッカーセンサ
１３８    電チューソレノイド
１４８    アタッカーソレノイド
１５０    主制御部
１５２    演出制御部
１５４    払出制御部
２００    球案内流路
２１０    電飾装置
２１０Ｌ    左電飾部
２１０Ｒ    右電飾部
２１４Ｌ、２１４Ｒ    ガイド片
２１６    強調演出部
２１８    背景演出部
２２０    基板カバー
２２２    基板（ベース板）
２２４    屈折板
２２６    レンズカバー
２２０Ａ    リブ
２２８    第１の光源部
２３０    第２の光源部
２２８Ａ    発光面
２２２Ａ    主面
２３０Ａ    発光面
２３２    貫通孔
２３４    凹陥部
２３４Ａ    傾斜面部
２２６Ａ    側壁部
２３６    導光部
２３６Ａ    底面部
２３８    空洞部
２４０    凹凸部
【図７】
0005755432.tif 000002
【図８】
0005755432.tif 000003
【図１】
0005755432.tif 000004
【図２】
0005755432.tif 000005
【図３】
0005755432.tif 000006
【図４】
0005755432.tif 000007
【図５】
0005755432.tif 000008
【図６】
0005755432.tif 000009